(57)【要約】【課題】  サラウンド再生可能なスピーカを備えたオーディオラックを用いて、最適な聴取領域を拡大する。【解決手段】  本発明は、各チャンネルのオーディオ処理を行うアンプ装置２０と、ラックの前面に配置され、アンプ装置２０から供給されるセンタチャンネルのオーディオ信号を出力するセンタスピーカ３０ＦＣと、アンプ装置２０から供給される左フロントチャンネルのオーディオ信号を出力する左前スピーカ３０ＦＬと、アンプ装置２０から供給される右フロントチャンネルのオーディオ信号を出力する右前スピーカ３０ＦＲと、アンプ装置２０から供給される左リアチャンネルのオーディオ信号を出力する第１の左リアスピーカ３０ＳＬと、アンプ装置２０から供給される右リアチャンネルのオーディオ信号を出力する第１の右リアスピーカ３０ＳＲとを備えたオーディオラック１００を用いてサラウンド音声を出力するようにした。【選択図】    図２
2006352579.tif 000002
【特許請求の範囲】
【請求項１】
少なくとも左フロントチャンネルと右フロントチャンネルとセンタチャンネルと左リアチャンネルと右リアチャンネルを含む５チャンネル以上のオーディオ信号出力を行うスピーカが内蔵されたオーディオラックであり、
前記各チャンネルのオーディオ処理を行うオーディオ信号処理部と、
ラックの前面に配置され、前記オーディオ信号処理部から供給される前記センタチャンネルのオーディオ信号を出力するセンタスピーカと、
前記センタスピーカに隣接して配置され、前記オーディオ信号処理部から供給される前記左フロントチャンネルのオーディオ信号を出力する左前スピーカと、
前記センタスピーカに隣接して配置され、前記オーディオ信号処理部から供給される前記右フロントチャンネルのオーディオ信号を出力する右前スピーカと、
前記左前スピーカに隣接して配置され、前記オーディオ信号処理部から供給される前記左リアチャンネルのオーディオ信号を出力する第１の左リアスピーカと、
前記右前スピーカに隣接して配置され、前記オーディオ信号処理部から供給される前記右リアチャンネルのオーディオ信号を出力する第１の右リアスピーカとを備えたことを特徴とする
オーディオラック。
【請求項２】
請求項１記載のオーディオラックにおいて、
前記第１の左リアスピーカと前記第１の右リアスピーカとが取り外し可能であり、前記左リアチャンネルのオーディオ信号と前記右リアチャンネルのオーディオ信号を、前記オーディオ信号処理部から前記第１の左リアスピーカと前記第１の右リアスピーカに無線送信することを特徴とする
オーディオラック。
【請求項３】
請求項２記載のオーディオラックにおいて、
前記無線送信は、赤外線通信を用いることを特徴とする
オーディオラック。
【請求項４】
請求項１記載のオーディオラックにおいて、
前記左リアチャンネルのオーディオ信号を前記オーディオ信号処理部から供給して出力させる第２の左リアスピーカと、
前記右リアチャンネルのオーディオ信号を前記オーディオ信号処理部から供給して出力させる第２の右リアスピーカとを備え、
前記第１の左リアスピーカは、前記センタスピーカの配置方向に対してほぼ０度以上９０度以下の外向きの角度に配設し、
前記第２の左リアスピーカは、外向きの側面方向に配設し、
前記第１の右リアスピーカは、前記センタスピーカの配置方向に対してほぼ０度以上９０度以下の外向きの角度に配設し、
前記第２の右リアスピーカは、外向きの側面方向に配設したことを特徴とする
オーディオラック。
【発明の詳細な説明】
【技術分野】
【０００１】
本発明は、スピーカを搭載するオーディオラックに関する。
【背景技術】
【０００２】
従来、室内でラジオ番組、音楽ＣＤ（Compact Disc）、ＤＶＤ（Digital Versatile Disk）等のオーディオを楽しむため、様々なオーディオ再生装置が提案されている。このようなオーディオ再生装置は、映画館に似た音場を実現するためのサラウンド技術や、音楽ホールなどに似た音場を実現するためのサラウンド技術を用いたものがある。聴取者がサラウンド再生を行うためには、オーディオ機器にサラウンド再生用に処理されたオーディオ信号を出力するスピーカ装置を多数設置する必要があり、通常は聴取者の後方にリアスピーカを置くようにしている。
【０００３】
聴取者が、多チャンネルのオーディオ装置を用いて、ステレオ再生された音楽等を聴く場合に、音場、及び音の定位について関心が持たれる。音場とは、再生音声により擬似的な音響空間を作るために用いられる概念である。また、音の定位とは、ステレオ再生時に聴取者が知覚する仮想的な音源としての音像が、一定の位置を占めることを指す。
【０００４】
図６は、仮想音像処理の例を示すブロックダイアグラムである。図６（ａ）は、スピーカ再生における仮想音像処理の例を示す。図６（ａ）における記号Ｓ，Ａは、それぞれ図６（ｂ）に示す再生系における２つのスピーカ５Ｌ、５Ｒと聴取者６の関係より、スピーカからスピーカ側の耳口までの頭部伝達関数Ｓ、及び、スピーカからそのスピーカの逆側に位置する耳口までの頭部伝達関数Ａを表す。なお、頭部伝達関数は、音源から聴取者の鼓膜までの音の伝達特性を表す伝達関数であり、聴取者の頭部や耳たぶ等の身体的な特徴によって変化しうる関数である。
【０００５】
図６（ａ）より、左信号が左入力端子３Ｌに入力され、右信号が右入力端子３Ｒに入力される。正相の左右信号は、加算され、所定の処理を施す処理ブロック１に供給される。また、逆相の左信号と正相の右信号は、加算され、処理ブロック２に供給される。処理ブロック１では、１／２（Ｓ＋Ａ）、処理ブロック２では、１／２（Ｓ−Ａ）とするフィルタ係数を用いてフィルタ処理を施す。そして、処理ブロック１から出力した正相の信号と、処理ブロック２から出力した逆相の信号が加算され、左出力端子４Ｌから出力される。また、処理ブロック１及び処理ブロック２から出力した正相の信号が加算され、右出力端子４Ｒから出力される。
【０００６】
このような仮想音像処理に対して、オリジナルの信号と仮想音像処理された信号を、左右２つずつ設置したそれぞれ異なるスピーカから出力するオーディオ再生装置が考え出された。この場合、同一のスピーカユニットから内部的に加算された信号を出力する場合に比べて、それぞれ別のユニットから別の信号（オリジナルの信号と仮想音像処理された信号）が出力されるため、スピーカユニットにおける相互の信号干渉によるひずみが少ない状態で、音響空間において二つの信号が合成されるようになる。
【０００７】
例えば、従来のサラウンドシステム（５．１チャンネル）として、聴取者の前方方向に対して、左前（ＦＬ：Front Left）、右前（ＦＲ：Front Right）、左後方の左サラウンド（ＳＬ：Surround Left）、右後方の右サラウンド（ＳＲ：Surround Right）、中央前（ＦＣ：Front Center）に設置した５チャンネルのスピーカと、０．１チャンネルのサブウーファ（ＳＷ：Sub Woofer）を設置するようにしていた。こうして、聴取者の周囲に５．１チャンネル対応のサラウンド再生を実現していた。
【０００８】
一方、テレビジョン受像機、スピーカ装置、アンプ装置等の各種オーディオ機器を収納するためのオーディオラックが提供されている。このようなオーディオラックには、複数のスピーカを内蔵して一体化したオーディオラックがある。
【０００９】
特許文献１には、スピーカを設置したラックの例について記載してある。
【特許文献１】実開平３−１４８９９号公報（第２図）
【発明の開示】
【発明が解決しようとする課題】
【００１０】
ところで、このようなスピーカを内蔵したオーディオラックは、通常聴取者の前方に設置して、音声再生を行う。このため、聴取者の前方から音声が届くことになる。従来、サラウンド再生を行うためには、後方に配置する必要のあるチャンネルの信号を出力するスピーカ装置を聴取者の後方位置に設置しなければならなかった。しかしながら、視聴位置の後方にスピーカを配置するためには、専用の場所が必要となる。また、設置したスピーカ装置にオーディオ信号を送るためにはケーブルを敷設する必要があるが、配線の困難性、設置角度の調整の煩わしさ、設置空間を確保できない等の不便が生じていた。
【００１１】
また、個々のスピーカを聴取者方向に向けて設置した場合、最適な聴取位置は限定された範囲内のみであり、聴取者がオーディオラックの前面にいる状態でしか快適に聴取することができなかった。
【００１２】
本発明はこのような状況に鑑みて成されたものであり、サラウンド再生可能なスピーカを備えたオーディオラックを用いて、最適な聴取領域を拡大することを目的とする。
【課題を解決するための手段】
【００１３】
本発明は、少なくとも左フロントチャンネルと右フロントチャンネルとセンタチャンネルと左リアチャンネルと右リアチャンネルを含む５チャンネル以上のオーディオ信号出力を行うスピーカが内蔵されたオーディオラックであり、各チャンネルのオーディオ処理を行うオーディオ信号処理部と、ラックの前面に配置され、オーディオ信号処理部から供給されるセンタチャンネルのオーディオ信号を出力するセンタスピーカと、センタスピーカに隣接して配置され、オーディオ信号処理部から供給される左フロントチャンネルのオーディオ信号を出力する左前スピーカと、センタスピーカに隣接して配置され、オーディオ信号処理部から供給される右フロントチャンネルのオーディオ信号を出力する右前スピーカと、左前スピーカに隣接して配置され、オーディオ信号処理部から供給される左リアチャンネルのオーディオ信号を出力する第１の左リアスピーカと、右前スピーカに隣接して配置され、オーディオ信号処理部から供給される右リアチャンネルのオーディオ信号を出力する第１の右リアスピーカとを備える。
【００１４】
このようにしたことで、聴取者は、オーディオラックに配設した第１の左リアスピーカ及び第１の右リアスピーカからサラウンド再生された音声を聴取することが可能となった。
【発明の効果】
【００１５】
本発明によれば、聴取者は、サラウンド再生可能な各スピーカとアンプ装置を組み込んだオーディオラックを設置するだけで、通常より拡大された聴取領域で音質や音の定位が最適化されたサラウンド音声を聴取することが出来るという効果がある。
【発明を実施するための最良の形態】
【００１６】
以下、本発明の第１の実施の形態を、図１〜図３を参照して説明する。本実施の形態では、５．１チャンネルに対応したスピーカ及びオーディオ装置を搭載するオーディオラックに適用した例としてある。但し、低域専用チャンネルの処理については省略してあり、低域専用チャンネルを除いた５チャンネルの処理だけを示してある。
【００１７】
まず、本例のオーディオラックの構成例について図１を参照して説明する。図１は、スピーカ等のオーディオ装置を搭載可能なオーディオラック１００の斜視図である。本例のオーディオラック１００は、３段構成としてあり、下の２段には、ビデオデッキ、ＤＶＤレコーダ等の電子機器を格納可能とするスペースを設けてある。そして、最上段にスピーカ及びアンプ装置を内蔵してある。
【００１８】
オーディオラック１００の最上段には、左から順に、左リアスピーカ３０ＳＬ，左前スピーカ３０ＦＬ、アンプ装置２０、中央前スピーカ３０ＦＣ、右前スピーカ３０ＦＲ、右リアスピーカ３０ＳＲが正面方向に設置してある。そして、ステレオ録音が施された音楽ＣＤ、ＤＶＤ等から再生した音声信号を図示しないオーディオ再生装置を信号源としてアンプ装置２０に供給するようにしている。スピーカ３０ＳＬ〜３０ＳＲは、アンプ装置２０のスピーカ接続端子にケーブル接続してあり、アンプ装置２０から音声信号の供給を受け、音声出力を行う。これらのスピーカ３０ＳＬ〜３０ＳＲは、可聴帯域内でほぼフラットな出力特性を有するいわゆるフルレンジ型のスピーカ装置として構成してある。
【００１９】
次に、本例のオーディオラックの設置例について図２を参照して説明する。オーディオラック１００が、聴取者１６の前方に配置してあり、スピーカ３０ＳＬ〜３０ＳＲを聴取者１６に対向させている。図２において、矢印Ｆとして示す上方が、聴取者１６の前方であり、矢印Ｒとして示す下方が、聴取者１６の後方である。聴取者１６の近傍には最適聴取領域１１があり、この領域１１内においてサラウンド再生された音声を理想的に聴取することができる。
【００２０】
次に、本例のオーディオラックの内部構成例について図３を参照して説明する。まず、音楽用メディアから得られた５チャンネルの再生オーディオ信号が信号源２１からアンプ装置２０に供給される。アンプ装置２０内では、プリアンプ２２ＦＣ，２２ＦＬ，２２ＦＲ，２２ＳＬ，２２ＳＲに、それぞれセンタチャンネル、左フロントチャンネル、右フロントチャンネル、左リアチャンネル、右リアチャンネルのオーディオ信号が個別に供給される。プリアンプ２２ＦＣ，２２ＦＬ，２２ＦＲで増幅された各チャンネルのオーディオ信号はアンプ２４ＦＣ，２４ＦＬ，２４ＦＲに供給され、スピーカ３０ＦＣ，３０ＦＬ，３０ＦＲで音声出力する。また、左リアチャンネルと右リアチャンネル用のプリアンプ２２ＳＬ，２２ＳＲで増幅されたオーディオ信号は、仮想音像処理を施す音像処理回路２３ＳＬ，２３ＳＲに供給され、仮想音像処理を施した後、アンプ２４ＳＬ，２４ＳＲに供給され、スピーカ３０ＳＬ、３０ＳＲで音声出力する。ここで、音像処理回路２３ＳＬ，２３ＳＲでの処理、アンプ２４ＦＣ〜２４ＳＲの増幅制御等は、制御部２５により所定の演算、制御が行われる。ここでの仮想音像処理としては、リアチャンネルの音を前方から出力させるための仮想音像処理である。この仮想音像処理については、例えば図６を参照して説明した処理が適用可能である。なお、仮想音像処理時に、リアチャンネル以外のチャンネルのオーディオ信号を加えて処理するようにしてもよい。
【００２１】
このようにすることで、聴取者位置の後方に、左右のリアスピーカを設置することなく、サラウンド再生された音声を聴取することが可能となった。
【００２２】
このとき、予めリアチャンネルのオーディオ信号を出力するスピーカがオーディオラック１００に内蔵されているので、アンプ装置２０から左右のリアスピーカ３０ＳＬ，３０ＳＲまで配線する必要がない。このため、配線の接続ミス等が発生する可能性を低減できる。また、長いケーブルが設置できないような室内においても、聴取者は簡単にサラウンド再生された音声を楽しむことができるという効果がある。また、横方向に各スピーカを並べて音声出力させるため、最適聴取領域を拡大することができるという効果がある。
【００２３】
また、上述した第１の実施の形態では、予め出力レベルを設定しておくことで、聴取者は適切な出力に設定してあるサラウンド再生された音声を容易に得ることができる。また、左右のリアスピーカをオーディオラック１００に内蔵してあるため、室内にリアスピーカを設置するためのスペースを設けなくても容易にサラウンド再生を楽しむことができるという効果がある。
【００２４】
次に、本発明の第２の実施の形態を、図４を参照して説明する。本実施の形態は、第１の実施の形態においてオーディオラックに内蔵していた左右のリアスピーカを取り外し可能な構成としたものである。本実施の形態は、第１の実施の形態と同様のオーディオラックに適用した例としてあり、本実施の形態においても、５．１チャンネルのサラウンド再生された音声が出力可能なスピーカとアンプ装置を組み込んだオーディオラックとしてある。
【００２５】
図４は、取り外し可能なリアスピーカを備えたオーディオラック１０１の設置例を示す。図４において、既に説明した図２に対応する部分には同一符号を付す。本例のオーディオラックの基本的な内部構成については、第１の実施の形態で説明した図３と同様に構成しており、ここでは構成の詳細説明については省略する。本例においては、オーディオラックに設置するようにした左右のリアスピーカを、必要に応じて取り外し可能な構成としている。この場合、左右のリアスピーカには、例えば赤外線通信可能なワイヤレス通信によりアンプ装置からのオーディオ信号を受信し、音声出力させるようにしてある。
【００２６】
本例のアンプ装置２０′は、リアチャンネルのオーディオ信号を赤外線信号に変換し、赤外線送信する送信部３１を備える。また、本例のリアスピーカ３０ＳＬ′，３０ＳＲ′は、それぞれ送信部３１から供給される赤外線信号を受信する受信部３２ＳＬ，３２ＳＲを備える。リアスピーカ３０ＳＬ′，３０ＳＲ′は、オーディオラック１０１から取り外し可能であり、任意の場所に設置することができる。図４では、聴取者１６の左右後方にリアスピーカ３０ＳＬ′，３０ＳＲ′を設置している。
【００２７】
このようにリアスピーカを着脱可能にし、オーディオ信号をワイヤレスで赤外線送信することで、普段はオーディオラック１０１の前面でテレビジョン放送等の画面を見ながら映画、音楽等の音を楽しみ、別の状態では、一部のスピーカを着脱して、別の場所に移動し、オーディオラック１０１の位置とは別の空間で音楽等を楽しむことが可能となった。
【００２８】
また、上述した第２の実施の形態では、送信部３１から左右のリアスピーカ３０ＳＬ′，３０ＳＲ′にそれぞれ発信する赤外線信号は、出力タイミング、送信時間を変えたり、発振周波数を異なる値とする等の対応をとることで混信を防止することができる。
【００２９】
また、聴取者１６の前面に設置したスピーカのみでサラウンド効果を楽しむホームシアターシステムにおいては、普段はオーディオラック１０１に内蔵されたスピーカによりフロントサラウンドで音声出力させる。一方、映画等を視聴するような場合においては、リアスピーカを取り外し、聴取者１６の後方に設置することによって、本格的なホームシアターを構成し視聴することができる。
【００３０】
なお、上述した第２の実施の形態では、オーディオラック１０１に着脱可能なリアスピーカに適用したが、オーディオラック１０１に装着した際は、スピーカと一体となったバッテリを充電し、取り外した際は、充電されたバッテリによって駆動されるようなリアスピーカに適用してもよい。同様に、バッテリを内蔵したリアスピーカにアンプ装置も組み込んだスピーカに適用してもよい。また、リアスピーカ自体に外部から電源を供給される電源部を設け、個別に家庭用コンセントから電源供給を受けるようにしてもよい。
【００３１】
また、上述した第２の実施の形態では、左右のリアスピーカに赤外線通信でオーディオ信号を送信するようにしたが、その他の無線方式を用いてオーディオ信号を送信したり、通信ケーブルにより有線接続したリアスピーカにも適用可能である。
【００３２】
次に、本発明の第３の実施の形態を、図５を参照して説明する。図５は、角度をつけたリアスピーカを備えたオーディオラック１０２の設置例を示す。本実施の形態は、左右に２つずつのリアスピーカを設け、それぞれのリアスピーカをオーディオラック１０２の正面に対して所定の角度に配置した構成としたものである。本実施の形態は、第１の実施の形態と同様のオーディオラックに適用した例としてあり、本実施の形態においても、５．１チャンネルのサラウンド音声を出力可能なスピーカとアンプ装置を組み込んだオーディオラックとしてある。図５において、既に説明した図２に対応する部分には同一符号を付す。
【００３３】
本例のオーディオラックの基本的な内部構成については、第１の実施の形態で説明した図３と同様に構成しており、ここでは構成の詳細説明については省略する。本例のオーディオラック１０２は、オーディオラックの正面の横軸に対して４５度、及び９０度の角度で外側に向けた同波形出力する２つのリアスピーカを各チャンネルが備えた構成としてある。
【００３４】
本例の第１の左リアスピーカ３０ＳＬａは、例えばオーディオラックの正面の横軸に対して、４５度、第２の左リアスピーカ３０ＳＬｂは、９０度の角度で外側に向けて音声出力させる。同様に、本例の第１の右リアスピーカ３０ＳＲａは、例えばオーディオラック１０２の正面の横軸に対して４５度、第２の右リアスピーカ３０ＳＲｂは、９０度の角度で外側に向けて音声出力させる。左右に設置した第１及び第２のリアスピーカは、直列接続または並列接続によりアンプ２０からの各サラウンドオーディオ信号が供給される。
【００３５】
従来、サラウンド効果を得る場合、回路上でオーディオ信号処理を施してオーディオ信号を合成するより、音響空間上で合成した方がサラウンドの効果が高いことが知られている。音響空間上で２つ以上のスピーカから得られる音声を合成する場合、音声出力する２つのスピーカに入力されるオーディオ信号自体は位相、強さが同じ信号であり、フロントから出力してリアから聞こえるように信号処理されている。そして、スピーカの設置位置を変えることで聴取者１６に対する距離差を作り、結果として聴取者１６に音声が届くまでの時間差を作る。このとき、時間の遅延分を作るためにはスピーカを外側に向けるとより効果が高くなる。
【００３６】
本例のオーディオラック１０２では、仮想音像信号処理された信号を出力する左右のリアスピーカを、２つに分離し、それぞれ異なる方向に向けるようにした。つまり、音響空間上での合成特性が、聴取者１６がより仮想音像を感じるような音響特性となるように、２つのスピーカの角度を異なる方向に向けることで音響空間上での合成を行っている。
【００３７】
このようにすることで、聴取者の前方に備えたスピーカにより、サラウンド再生された音声出力を得ることが可能となった。
【００３８】
本例のオーディオラック１０２においては、角度をつけて外側に向けた２つずつの左右のリアスピーカは、必ずオーディオラック１０２の正面の横軸に対して所定の角度で固定される。また、少なくとも１つのスピーカはオーディオラック１０２の側面（９０度）外側を向くように設置する。例えば、左右のリアスピーカが聴取者に対向する位置に２つずつ併設してあると、聴取者に対して直接音が届くことになる。スピーカは指向性を有しているため、再生音声が直接聴取者に届くが、サラウンド効果はあまり得られない。しかしながら、リアスピーカを角度を変えて設置すると、音が直接聴取者の耳に入ってこないため、サラウンド効果を高めることができるという効果がある。
【００３９】
また、本例のオーディオラック１０２において、２つのスピーカの角度を異なる方向に向けることで、最適聴取領域１１は横方向に拡大する。このように最適聴取領域１１が拡大することにより、従来、狭い範囲の最適聴取領域１１にいる聴取者しかサラウンド音声を楽しめなかったが、複数の聴取者が同時にサラウンド音声を楽しむことができるという効果がある。また、２つずつの左右リアスピーカをそれぞれ異なる角度に設置することによって、サラウンド効果をより強めることができるという効果がある。
【００４０】
なお、上述した第３の実施の形態では、サラウンド再生用の音声を出力する第１の左右リアスピーカ３０ＳＬａ，３０ＳＲａを、オーディオラック１０２の正面の横軸に対して４５度の角度で設置し、第２の左右リアスピーカ３０ＳＬｂ，３０ＳＲｂを、オーディオラック１０２の正面の横軸に対して９０度の角度で設置するようにしたが、オーディオラック１０２の形状により任意に角度を変えて設置してもよい。
【００４１】
また、上述した第３の実施の形態では、サラウンド再生のためのスピーカ数が増加した場合においても容易に対応することが可能である。このときリアスピーカを増設することで聴取者はサラウンド再生を楽しむことができ、また、スピーカの増設も簡単にできるという効果がある。
【００４２】
なお、上述した第３の実施の形態では、本例のオーディオラック１０２において、左右に設けた２つのリアスピーカは共通のスピーカボックスに格納するようにしたが、別々のスピーカボックスにそれぞれリアスピーカを格納するようにしてもよい。
【００４３】
また、上述した第３の実施の形態では、２つずつの左右リアスピーカを横方向に併設したが、縦方向に併設しても同様のサラウンド効果を得ることが可能である。このようにした場合、オーディオラックの横方向の幅を狭めることができるため、オーディオラックの大きさを小さくすることができるという効果がある。
【００４４】
このように、上述した第１〜第３の実施の形態では、リアスピーカとアンプ装置が予め接続してあるので、聴取者は簡単に設置することが可能である。このため、聴取者はリアスピーカの設置に時間を要することなく所望のサラウンド再生された音声を楽しむことができるという効果がある。また、聴取者の後方にリアスピーカを設置しなくてもサラウンド効果を得られるため、リアスピーカを設置するためのスペースを設けなくてもよいという効果がある。
【図面の簡単な説明】
【００４５】
【図１】本発明の第１の実施の形態におけるオーディオラックの例を示した斜視図である。
【図２】本発明の第１の実施の形態におけるオーディオラックの設置例を示した構成図である。
【図３】本発明の第１の実施の形態におけるオーディオラックの内部構成例を示したブロック図である。
【図４】本発明の第２の実施の形態におけるオーディオラックの設置例を示した構成図である。
【図５】本発明の第３の実施の形態におけるオーディオラックの設置例を示した構成図である。
【図６】従来の実施の形態における仮想音像処理の例を示した説明図である。
【符号の説明】
【００４６】
１，２…処理ブロック、３Ｌ，３Ｒ…入力端子、４Ｌ，４Ｒ…出力端子、５Ｌ，５Ｒ…スピーカ、６…聴取者、１１…最適聴取領域、１６…聴取者、２０，２０′…アンプ装置、２１…信号源、２２ＦＬ〜２２ＦＣ…プリアンプ、２３ＳＬ，２３ＳＲ…音像処理回路、２４ＦＬ〜２４ＦＣ…アンプ、２５…制御部、３０ＦＬ〜３０ＦＣ…スピーカ、３１…送信部、３２ＳＬ，３２ＳＲ…受信部、１００〜１０２…オーディオラック
【図１】
2006352579.tif 000003
【図２】
2006352579.tif 000004
【図３】
2006352579.tif 000005
【図４】
2006352579.tif 000006
【図５】
2006352579.tif 000007
【図６】
2006352579.tif 000008